(57)【要約】  スキー・ポールのようなスポーツ用ポールのハンドルとポール・チューブの間に設けられる減衰装置で、らせん状圧縮スプリング（１７）とガス圧縮スプリングの作用を組合わせ、それにより、ロッド状物体（５）がチューブ（３）内で移動できる。弾性挿入体（１３）がロッド状の物体（５）の端部に設けられて、らせん状圧縮スプリング（１７）の作用を受ける。例えば、ポールが地面に置かれたとき、ロッド状物体（５）はチューブ（３）内に押され、挿入体（１３）が変形して、内側からチューブ（３）に密に当たり、それによりガス圧縮スプリングを形成する。変形可能な挿入体（１３）の摩擦によりチューブ（３）内で減衰作用が次第に強くなる。
2007514105.tif 000002
【特許請求の範囲】
【請求項１】
お互いに相対運動を行なえる２個の物体間の、特にポール（２０）の２部分間の、好ましくはポール（２０）のハンドル（２４）とロッド（２２）の間の相対運動を減衰するための装置で、お互いに相対運動を行なえる物体の間に、ガス圧縮スプリングとらせん状圧縮スプリング（１７）が有ることを特徴とする装置。
【請求項２】
ロッド状物体（５）の下端が一方の側を閉じたチューブ（３）内で保持され、かつ、その場合、チューブ（３）を保持している端部には、ロッド状物体（５）とチューブ（３）の間にシール（１３）があり、そのシールがチューブ（３）内への移動方向でロッド状物体（５）への圧力により機能することを特徴とする請求項１に記載された装置。
【請求項３】
らせん状圧縮スプリング（１７）が、チューブ（３）内に保持されているロッド状物体（５）の端部とチューブ（３）の底部（１９）の間にクランプされていることを特徴とする請求項２に記載された装置。
【請求項４】
チューブ（３）内に保持されたロッド状物体（５）の端部上に、弾性材料の挿入材（１３）があり、その上に、らせん状圧縮スプリング（１７）が、ロッド状物体（５）と相対運動を行なえる中間ディスク（１５）を介して保持されることを特徴とする請求項２又は３に記載された装置。
【請求項５】
チューブ（３）内に保持された部分の外側でロッド状物体（５）の上にリング状エンド・ストップ（９）があることを特徴とする請求項２から４のひとつに記載された装置。
【請求項６】
チューブ（３）の開放端の上にエンド・ストップ・ダンパー（１１）があることを特徴とする請求項５に記載された装置。
【請求項７】
ロッド状物体（５）がチューブ（３）内に押し込まれたときに、リング状エンド・ストップ（９）がエンド・ストップ・ダンパー（１１）に隣接し、かつ、チューブ（３）の開放端とエンド・ストップ（９）の間でそれをクランプすることを特徴とする請求項６に記載された装置。
【請求項８】
チューブ（３）が（アスレチック）ポール（２０）のポール・チューブ（２２）であることを特徴とする請求項１から７のひとつに記載された装置。
【請求項９】
チューブ（３）が（アスレチック）ポール（２０）のポール・チューブ（２２）の間に位置していることを特徴とする請求項１から７のひとつに記載された装置。
【請求項１０】
減衰装置（１）のロッド状物体（５）が、お互いに伸縮できる２部分（２６、２８）から成るポール・チューブ（２２）のハンドル側部分（２６）に結合されていることを特徴とする請求項９に記載された装置。
【請求項１１】
ロッド状物体（５）とポール・チューブ（２２）の部分（２６）の間の結合部（３２）を解除できることを特徴とする請求項１０に記載された装置。
【発明の詳細な説明】
【技術分野】
【０００１】
本発明は、特にポール（ｐｏｌｅ）の２部分の間で、好ましくはポールのハンドル（ｈａｎｄｌｅ）とロッド（ｒｏｄ）の間でお互いに相対的に移動できる２物体の間での相対運動を減衰するための装置に関する。
【背景技術】
【０００２】
これらの減衰装置は特にハンドル付きのポールのために用いられ、その場合、ポールが特に固い地面に下ろされた時に衝撃エネルギーを低振動で吸収するために、スプリング（ｓｐｒｉｎｇ）の力に抗してポールに対する軸方向の相対運動をハンドルが行なえる。
【０００３】
ポールとハンドルの間のこの種の公知の装置は鋼製のらせん状圧縮スプリングを有していて、鋼製ロッドで案内され、ポールの長手方向に伸びている。
【０００４】
他の提案は鋼製らせん状圧縮スプリングとそのスプリングの両側に位置する弾性体の組合わせを用いていて、それにより、減衰作用の改善を行っている。
【０００５】
本発明の目的は、最初に示したタイプで、改善された減衰機能を有する装置を工夫することである。
【０００６】
この目的は、本発明で請求しているように、お互いに相対運動を行なえる物体間にガス圧縮スプリングとらせん状圧縮スプリングが存在することを特徴とする装置により達成できる。
【０００７】
本発明で請求している減衰装置の好ましく、有利な実施例が本発明の対象になっている。
【０００８】
本発明で請求している減衰装置で、（金属製の）らせん状圧縮スプリングの作用とガス圧縮スプリングの作用を有利に組合わされている。これにより、最初は小さくて、最終的に減衰装置のストローク（ｓｔｒｏｋｅ）端部に達するまで、減衰装置の圧縮が高まると共に、減衰作用が増大する。
【０００９】
一実施例で、ロッド状物体を一端が閉じられているチューブ内の下端で保持して、又、その端部で、そこで保持されているチューブがロッド状物体とチューブの間のシール（ｓｅａｌ）になり、チューブ内への移動方向にそのロッド状物体に圧力を加えることによりシールが機能する。この実施例で、ガス圧縮スプリングのピストンには自動的に機能するリング・シール（ｒｉｎｇ  ｓｅａｌ）が設けられ、そのリング・シールにより形成された弁としても機能し、そのリング・シールはガス圧縮スプリングが圧縮されたときに（棒材が下りたときに）閉じて、ガス圧縮スプリングが離れるように動くときに開く。
【００１０】
一実施例で、チューブの開放端に、エンド・ストップ・ダンパー（ｅｎｄ  ｓｔｏｐ  ｄａｍｐｅｒ）が設けられている。ここでは、ロッド状物体がチューブに押し込まれたときに、リング状エンド・ストップがエンド・ストップ・ダンパーに隣接して、それをチューブの開放端とエンド・ストップの間に好ましくクランプ（ｃｌａｍｐ）する。これには、その減衰装置を突然ではなく、穏やかにそのストロークの端部で捕捉され、停止するという利点がある。
【００１１】
本発明の他の詳細と特徴は図面を用いた好ましい実施例についての以下の説明から明らかになる。
【発明の開示】
【００１２】
本発明で請求している減衰装置はチューブ３内に保持され、その上端にリング・フランジ（ｒｉｎｇ  ｆｌａｎｇｅ）７を保持したロッド状物体５から成っている。ロッド状物体５の上端から離れた距離で、リング状ストップ９があり、チューブ３に対するロッド状物体５のストロークを制限する。
【００１３】
ロッド状物体５は、ゴム製スプリングの形でエンド・ストップ・ダンパー１１の下に位置する領域を有し、ポール例えばスキー・ポール又は歩行用杖のチューブ３の中に保持されている。（図６参照）
チューブ３内に保持されたその端部上に、ロッド状物体５がディスク（ｄｉｓｋ）の形で弾性的に変形可能なシール１３を保持していて、そのディスクの形のシール１３はロッド状物体５の自由端の上でロッド５に対して軸方向に移動できる中間ディスク１５によりカバー（ｃｏｖｅｒ）されている。中間ディスク１５の下に、らせん状圧縮スプリング１７があり、中間ディスク１５に隣接し、その他端はチューブ３の閉鎖端１９上に保持され、チューブ３の中にロッド５が保持されている。
【００１４】
図１に示した矢印２１の方向のこの位置でロッド状物体５に圧力が加えられた場合、それはチューブ３の中へ動く。スプリング１７が中間ディスク１５に加える圧力により弾性挿入体１３が変形して、最初は実質的に円筒ジャケット（ｊａｃｋｅｔ）の形をしていたその側面がアーチ（ａｒｃｈ）状になり、外側がビード（ｂｅａｄ）の形になり、チューブ３の内面を押すように配置される（リング・シール（ｒｉｎｇ  ｓｅａｌ））。この方法で、ガス（空気）がらせん状スプリング１７内の領域でチューブ３内に閉じ込められて、ガス圧縮スプリングとして機能し、らせん状スプリング１７のスプリングの力を支える（図２）。ロッド状物体５の下向きの動きが続くので（図３）、中間ディスク１５へのスプリング１７の力は大きくなり、弾性挿入体１３がその周辺面でより強くチューブ３の内面に対して押されるので、挿入体１３の外側とチューブ３の内面との摩擦力は継続的に増大するので、減衰作用は摩擦の増大により順次強くなっていく。
【００１５】
ロッド状物体５の下向き移動の終わりに、ストップ９はエンド・ストップ・ダンパー１１の上に静止する。ダンパー１１は例えば弾性的に変形可能な物体で、ベローズ（ｂｅｌｌｏｗｓ）のような方法で作成できる。
【００１６】
図１に示された矢印２１の方向での圧力が停止するとき、弾性的に変形可能な挿入体１３が元の円筒形に戻る。らせん状圧縮スプリング１７がチューブ３からロッド状物体５を押し上げる。そして、減衰装置が図５に示す最初の位置に戻る。
【００１７】
ロッド状物体５が下に動くとき、チューブ３に対するロッド状物体５の相対的運動の減衰が、以下により本発明の中で請求されている減衰装置について記述されている設計により実現する：
ａ）  ガス圧縮スプリングの作用（チューブ３の下部でのガス・クッション（ｇａｓ  ｃｕｓｈｉｏｎ）の圧縮）
ｂ）  ロッド状物体５とチューブ３の底部１９の間で、らせん状圧縮スプリング１７の圧縮、
ｃ）  チューブ３の内面と弾性材料の挿入体１３の外面周囲の間での摩擦、その挿入体の表面はビードの形に変形する。
【００１８】
図６はスキー・ポール２０を示す。図７は、その構造と機能に関して図１から５を用いて説明した減衰装置が本発明の実施例に基づいてどのようにハンドル２４が付いたポール２０内に組み込めるかを軸方向の断面内に示している。
【００１９】
図６はポール・チューブ２２付きのスキー・ポール２０を略図的に示していて、ポール・チューブ２２は部分的にハンドル２４に部分的に接続していて、お互いに相対運動を行なえる２部分、特に、伸縮する上部２６と伸縮する中間部２８から成っている。
【００２０】
図７は、部分的に断面図になっている図６からのスキー・ポール２０の一実施例を示しているが、図６に特に詳細１で示されている。
【００２１】
図７は、ポール・チューブ２２の伸縮する上部２６がポール・チューブ２２の伸縮する中間部２８の上に置かれる。伸縮する上部２６の下端はスリーブ３０と位置合わせされている。
【００２２】
スキー・チューブ２２の伸縮する上部２６が、図１から５に示す減衰装置のロッド状物体５に結合していて、例えば、ポール２０が地面に下ろされたとき、ハンドル２４を介して伸縮する上部２６に加えられる圧力は、図１から３に示すように、ロッド状物体５を押し下げる。
【００２３】
伸縮する上部２６と減衰装置のロッド状物体５の間の結合部３２は、種々の長さのアスレティック・ポール（ａｔｈｌｅｔｉｃ  ｐｏｌｅ）用で知られている半径方向に拡大可能で、伸縮する部分２６及び２８の相対的回転により作動しうるクランプ部分と同様に作ることができる。
【００２４】
ポール・チューブ２２の伸縮する中間部２８の上端で、本発明で請求されている減衰装置がそのチューブ３により保持される。そのチューブ３は伸縮する中間部２８の自由端状で上端フランジ４により保持される。
【００２５】
要約すると、本発明の一実施例を以下のように説明できる。
【００２６】
スキー・ポールのようなアスレティック・ポール２０のポール・チューブ２２とハンドル２４の間に位置している減衰装置が、らせん状圧縮スプリング１７の機能とガス圧縮スプリングの作用を組合わせていて、チューブ３内でロッド状物体５が移動可能になっている。ロッド状物体５の端部に、らせん状圧縮スプリング１７により荷重を加えられた弾性挿入体１３がある。ロッド状物体５がチューブ３内に押し込まれた場合、例えば、ポール２０が地面に下ろされたとき、挿入材１３が変形し、かつ、チューブ３に対して内側からシール（ｓｅａｌ）し、ガス圧縮スプリングを形成する。その減衰作用はチューブ３内の変形可能な挿入体１３の摩擦により次第に強くなる。
【図面の簡単な説明】
【００２７】
【図１−５】本発明の請求項に基づく減衰装置の種々の位置を示している。
【図６】スキー・ポール示している。
【図７】スキー・ポール内の減衰装置の実施例である。
【図１】
2007514105.tif 000003
【図２】
2007514105.tif 000004
【図３】
2007514105.tif 000005
【図４】
2007514105.tif 000006
【図５】
2007514105.tif 000007
【図６】
2007514105.tif 000008
【図７】
2007514105.tif 000009
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
ポール（２０）のハンドル（２４）とロッド（２２）の間の相対運動を減衰するための装置で、ハンドル（２４）とロッド（２２）の間で、そのハンドル（２４）はロッド（２２）に対して相対運動が可能で、ガス圧縮スプリングとらせん状圧縮スプリング（１７）があり、チューブ（３）内に保持されたロッド状物体（５）の端部上にシール（１３）があり、特徴として、チューブ（３）が、その一方の側が閉じていて、その下端でロッド状物体（５）が保持されること、らせん状圧縮スプリング（１７）がチューブ（３）内に保持されたロッド状物体（５）の端部とそのチューブ（３）の底部（１９）の間にクランプされていること、及び、チューブ（３）内に保持されたロッド状物体（５）の端部で保持された弾性挿入体（１３）が、らせん状圧縮スプリング（１７）によりチューブ（３）の中へ移動する方向でロッド状物体が圧力を受けたときに、チューブ（３）の内面に接するように変形することである減衰装置。
【請求項２】
らせん状圧縮スプリング（１７）が、ロッド状物体（５）と相対運動を行なえる中間ディスク（１５）を介して弾性材料の挿入体（１３）に保持されることを特徴とする請求項１に記載された装置。
【請求項３】
チューブ（３）内に保持された部分の外側でロッド状物体（５）上にリング状エンド・ストップ（９）があることを特徴とする請求項１又は２に記載された装置。
【請求項４】
チューブ（３）の開放端の上にエンド・ストップ・ダンパー（１１）があることを特徴とする請求項３に記載された装置。
【請求項５】
ロッド状物体（５）がチューブ（３）内に押し込まれたときに、リング状エンド・ストップ（９）がエンド・ストップ・ダンパー（１１）に隣接し、かつ、チューブ（３）の開放端とエンド・ストップ（９）の間でそれをクランプすることを特徴とする請求項４に記載された装置。
【請求項６】
チューブ（３）が（アスレチック）ポール（２０）のポール・チューブ（２２）であることを特徴とする請求項１から５のひとつに記載された装置。
【請求項７】
チューブ（３）が（アスレチック）ポール（２０）のポール・チューブ（２２）内に位置していることを特徴とする請求項１から５のひとつに記載された装置。
【請求項８】
減衰装置（１）のロッド状物体（５）が、お互いに伸縮できる２部分（２６、２８）から成るポール・チューブ（２２）のハンドル側部分（２６）に結合されていることを特徴とする請求項７に記載された装置。
【請求項９】
ロッド状物体（５）とポール・チューブ（２２）の部分（２６）の間の結合部（３２）を解除できることを特徴とする請求項８に記載された装置。
【請求項１０】
ハンドル（２４）が、お互いに伸縮する２部分（２６、２８）から成るポール・チューブ（２２）の１部分（２６）に位置していることを特徴とする請求項８又は９に記載された装置。
【手続補正２】
【補正対象書類名】明細書
【補正対象項目名】０００１
【補正方法】変更
【補正の内容】
【０００１】
本発明は、請求項１の導入部分の特徴を有し、特にポール（ｐｏｌｅ）の２部分の間で、好ましくはポールのハンドル（ｈａｎｄｌｅ）とロッド（ｒｏｄ）の間でお互いに相対的に移動できる２物体の間での相対運動を減衰するための装置に関する。
【背景技術】
【手続補正３】
【補正対象書類名】明細書
【補正対象項目名】０００５
【補正方法】変更
【補正の内容】
【０００５】
最初に示したタイプの装置は、特許文献１に示されている。
本発明の目的は、最初に示したタイプで、改善された減衰機能を有する装置を提供することである。
【手続補正４】
【補正対象書類名】明細書
【補正対象項目名】０００６
【補正方法】変更
【補正の内容】
【０００６】
この目的は、独立請求項の機能を特徴とする装置を用いて、本発明で請求しているように達成できる。
【手続補正５】
【補正対象書類名】明細書
【補正対象項目名】００１１
【補正方法】変更
【補正の内容】
【００１１】
本発明の他の詳細と特徴は図面を用いた好ましい実施例についての以下の説明から明らかになる。
【特許文献１】  ＦＲ−Ａ−２，３８７，０６４
【発明の開示】
【国際調査報告】
2007514105.tif 000010
2007514105.tif 000011
2007514105.tif 000012
2007514105.tif 000013
2007514105.tif 000014
2007514105.tif 000015